(57)【要約】【課題】インバータのトルクデータを荷重計のデータとして利用することにより、安価に、かつ、計測時間の短縮化を行うことにより、安全性や操作性を向上するようにしたクレーンの吊上げ荷重の測定方法を提供すること。【解決手段】クレーンの巻上げ装置を停止させている時に、モータに停止指令運転をさせ、この時ブレーキを開放して、その時のモータトルク値を吊上げ荷重値に換算するようにするとともに、予め無負荷風袋荷重での巻上げ加速時、巻上げ減速時、巻下げ加速時及び巻下げ減速時のモータトルク値を測定、記憶しておき、巻上げ加速時は、荷重を吊った時の巻上げ加速運転中のモータトルク値から、前記無負荷風袋荷重での巻上げ加速時のモータトルク値を減算し、同様に、巻上げ減速時は、巻上げ減速時のモータトルク値を加算、巻下げ加速時は、巻下げ加速時のモータトルク値を加算、巻下げ減速時は、巻下げ減速時のモータトルク値を減算することにより、加減速時の吊上げ荷重値を算出する。【選択図】図２
2018034958.tif 000002
【特許請求の範囲】
【請求項１】
クレーンの巻上げ装置を停止させている時に、モータに停止指令運転をさせ、この時ブレーキを開放して、その時のモータトルク値を吊上げ荷重値に換算するようにすることを特徴とするクレーンの吊上げ荷重の測定方法。
【請求項２】
巻上げブレーキを閉じる前のモータトルク値を記憶しておき、該モータトルク値を吊上げ荷重値のデータに利用することを特徴とする請求項１に記載のクレーンの吊上げ荷重の測定方法。
【請求項３】
予め無負荷風袋荷重での巻上げ加速時、巻上げ減速時、巻下げ加速時及び巻下げ減速時のモータトルク値を測定、記憶しておき、巻上げ加速時は、荷重を吊った時の巻上げ加速運転中のモータトルク値から、前記無負荷風袋荷重での巻上げ加速時のモータトルク値を減算し、同様に、巻上げ減速時は、巻上げ減速時のモータトルク値を加算、巻下げ加速時は、巻下げ加速時のモータトルク値を加算、巻下げ減速時は、巻下げ減速時のモータトルク値を減算することにより、加減速時の吊上げ荷重値を算出するようにすることを特徴とするクレーンの吊上げ荷重の測定方法。
【請求項４】
定速運転時のモータトルク値と、モータ電力とを比較し、モータトルク値と、モータ電力値の相互の健全性を確認することを特徴とする請求項３に記載のクレーンの吊上げ荷重の測定方法。
【請求項５】
巻下げ中のモータトルク値を監視し、モータトルク値が小さくなった時点を、吊荷が床に付いた位置と判断することを特徴とする請求項３又は４に記載のクレーンの吊上げ荷重の測定方法。
【請求項６】
巻上げ起動後加速前に低速度で安定させ、モータトルク値を測定し、吊上げ荷重値の換算を行った後に加速をさせることを特徴とする請求項３、４又は５に記載のクレーンの吊上げ荷重の測定方法。
【発明の詳細な説明】
【技術分野】
【０００１】
本発明は、クレーンの吊上げ荷重の測定方法に関し、特に、巻上げ制御にインバータ等の速度制御装置で駆動する方式のクレーンにおいて、速度制御装置が検出した巻上げモータのモータトルク値を利用したクレーンの吊上げ荷重の測定方法に関するものである。
【背景技術】
【０００２】
従来、重量物を取り扱うクレーンにおいて、吊上げ荷重値を管理することは安全上、重要であるが、ロードセル方式など機械に組み込むタイプの荷重計（例えば、特許文献１参照。）は、コストが掛かるため、一般のクレーンには装備されていない実態がある。
【０００３】
クレーンの吊上げ荷重の測定には、このほか、巻上げモータに供給した電力値が吊上げ荷重値に比例することを応用し、巻上げモータの電力量を検出することで吊上げ荷重値を計測するようにした電力式荷重計が提案され、実用化されている（例えば、特許文献２参照。）。
この電力式荷重計は、通常、クレーンの巻上げモータの加速が終了し、定格速度に達して電力値が安定したところで計測を行うようにしているため、加速動作を行った後に、初めて吊上げ荷重が解ることになる。すなわち、モータ停止時や加速状態の時に電力測定ができないため、荷重測定を行うことができない。
このため、特に、巻上げ起動した初期の安全性や操作性で不都合が生じるという問題があった。
【先行技術文献】
【特許文献】
【０００４】
【特許文献１】特開２００４−１２３２４８号公報
【特許文献２】特開２００２−２８４４８１号公報
【発明の概要】
【発明が解決しようとする課題】
【０００５】
本発明は、上記従来のロードセル式荷重計及び電力式荷重計の有する問題点に鑑み、インバータのトルクデータを荷重計のデータとして利用することにより、安価に、かつ、計測時間の短縮化を行うことにより、安全性や操作性を向上するようにしたクレーンの吊上げ荷重の測定方法を提供することを目的とする。
【課題を解決するための手段】
【０００６】
上記目的を達成するため、本発明のクレーンの吊上げ荷重の測定方法は、クレーンの巻上げ装置を停止させている時に、モータに停止指令運転（通称、「サーボロック」という。）をさせ、この時ブレーキを開放して、その時のモータトルク値を荷重値に換算するようにすることを特徴とする。
【０００７】
この場合において、巻上げブレーキを閉じる前のモータトルク値を記憶しておき、該モータトルク値を吊上げ荷重値のデータに利用することができる。
【０００８】
また、目的を達成するため、本発明のクレーンの吊上げ荷重の測定方法は、同じ予め無負荷風袋荷重での巻上げ加速時、巻上げ減速時、巻下げ加速時及び巻下げ減速時のモータトルク値を測定、記憶しておき、巻上げ加速時は、荷重を吊った時の巻上げ加速運転中のモータトルク値から、前記無負荷風袋荷重での巻上げ加速時のモータトルク値を減算し、同様に、巻上げ減速時は、巻上げ減速時のモータトルク値を加算、巻下げ加速時は、巻下げ加速時のモータトルク値を加算、巻下げ減速時は、巻下げ減速時のモータトルク値を減算することにより、加減速時の吊上げ荷重値を算出するようにすることを特徴とする。
【０００９】
この場合において、定速運転時のモータトルク値と、モータ電力とを比較し、モータトルク値と、モータ電力値の相互の健全性を確認することができる。
【００１０】
また、巻下げ中のモータトルク値を監視し、モータトルク値が小さくなった時点を、吊荷が床に付いた位置と判断するようにすることができる。
【００１１】
また、巻上げ起動後加速前に低速度で安定させ、モータトルク値を測定し、吊上げ荷重値の換算を行った後に加速をさせるようにすることができる。
【発明の効果】
【００１２】
本発明のクレーンの吊上げ荷重の測定方法は、巻上げモータをインバータ等の速度制御装置で駆動する方式のクレーンにおいて、速度制御装置が検出した巻上げモータのモータトルク値を利用し、具体的には、巻上げモータの発生トルクを荷重換算することで、荷重計として利用するものである。
クレーンにおいては、フック等の吊り具に吊られた荷重は、ワイヤロープやシーブを介して巻ドラムにトルクとして伝えられる。そして巻上げドラムに掛かるトルクは、減速機で減速比分縮小され、巻上げモータに伝えられる。
モータが発生するトルクは、モータ電流や、モータ回転数等の検出値を基に速度制御装置内でモータトルク値に換算され、出力される。
具体的には、巻上げブレーキを開放すると、負荷トルクはすべて巻上げモータに掛かるが、モータに掛かった負荷トルクは、インバータ等の速度制御装置内で、モータの回転数や、モータ温度、モータ電流値等を基にモータトルク値が算出され、外部出力される。
速度制御装置から外部出力されたモータトルク値を、モータの停止状態、巻上げ加速・減速運転状態、巻上げ定速運転状態、巻下げ加速・減速運転状態、巻上げ定速運転状態、ブレーキ閉じ状態等のその時の状態に応じて荷重換算方法やデータ保持方法を変えて荷重表示を行う。
このモータトルク値を荷重値に換算することで、荷重計として利用する。
このようにして、巻上げモータの制御用に電気的に検出されたトルク値を荷重計として利用するため、高価なロードセルを必要とせず、安価に、かつ、簡易に、荷重表示を行うことができ、さらに、計測時間の短縮化を行うことが可能となり、安全性や操作性を向上することができる。
【図面の簡単な説明】
【００１３】
【図１】本発明のクレーンの吊上げ荷重の測定方法を実施するクレーンの一実施例を示すシステム構成図である。構成図である。
【図２】本発明のクレーンの吊上げ荷重の測定方法の一実施例のタイムチャート図である。
【発明を実施するための形態】
【００１４】
以下、本発明のクレーンの吊上げ荷重の測定方法の実施の形態を、図面に基づいて説明する。
【００１５】
図１〜図２に、本発明のクレーンの吊上げ荷重の測定方法の一実施例を示す。
【００１６】
図１に示す、クレーンの吊上げ荷重の測定方法を実施するクレーンのように、巻上げ制御にインバータ等の速度制御装置で駆動する方式のクレーンで吊上げられた荷重Ｗは、シーブＳを介してワイヤロープＲの掛け数で除算された荷重値で巻ドラムＤに負荷トルクとして伝達される。
そして、減速機Ｇのギア比で除算され巻上げモータＭに負荷トルクとして伝達される。
【００１７】
このように、巻上げモータＭに加えられた負荷トルクは、吊上げ荷重Ｗに比例した値になるため、巻上げモータＭのトルク値を測定することにより、吊上げ荷重Ｗの重量を判断することができる。
【００１８】
巻上げモータの速度制御装置Ｉにベクトル制御インバータを用いた場合、モータに取り付けた速度センサＥにより検出した速度センサ検出値０２を基にモータの滑りを算出し、モータ滑り量がモータトルクに比例することを利用してモータトルク値０３として算出する。
この時、モータの温度データを滑り算出値に加味することで、モータトルク値０３の値の精度は向上する。
【００１９】
速度制御装置Ｉにセンサレスベクトル制御インバータを用いた場合は、速度センサ検出値０２はないので、モータ電流０１をベクトル演算し、磁束電流とトルク電流に分解し、トルク電流の値を基にモータトルク値０３が出力される。
【００２０】
クレーンがＴ０ブレーキ閉じ停止状態である時、速度制御装置Ｉへの指令にゼロ速度運転信号を出し、巻上げモータＭをサーボロック状態にする。そして、巻上げブレーキＢを開放し、Ｔ１の状態にする。
この時、吊上げ荷重Ｗからの負荷トルクが巻上げモータＭに掛かるやめ、この時のモータトルク値０３を、荷重換算データＫで演算することで、停止時の荷重値０４を把握することができる。
【００２１】
次に、運転信号０５で、低速巻上げ運転指令を与えた時、巻上げモータＭは低速で巻上げ方向に回転を始め、低速の巻上げ低速運転Ｔ２の状態になる。この時のモータトルク値０３は、減速機ロス等の変化の影響を受けて、前項停止状態とは数値が異なってくる。
このため、荷重換算データＫは、停止状態の時と異なるデータとする必要があるため、状態信号０６により、荷重換算データＫを低速巻上げ運転用のデータに切り替えて荷重値０４を算出する。
【００２２】
続いて、運転信号０５より、高速巻上げ運転信号を与えると、巻上げモータＭは巻上げ方向に加速を始め、巻上げ加速運転Ｔ３の状態になる。この時のモータトルク値０３は、当該装置が持つ慣性モーメントによる加速トルクが、負荷トルクに加算された値になる。
同じ機械装置を同じ加速度で加速させた場合、この加速トルクは、不変の値となるため、予め無負荷状態で測定した加速時のモータトルク値０３を記憶しておき、実際の荷重を吊って加速をしている時のモータトルク値から前記の無負荷状態の加速時のモータトルク値を減算させることで、吊上げ荷重からのトルクを算出することができ、加速時の荷重値を算出することができる。
【００２３】
同様に巻上げ減速運転Ｔ５、巻下げ加速運転Ｔ６、巻下げ減速運転Ｔ８の状態の場合も、無負荷時の加速或いは減速時のトルクを予め測定しておき、Ｔ５、Ｔ６の時は、各々の無負荷時の減速又は加速トルクを加算し、Ｔ８の時は減速トルクを減算することで、加速又は減速トルクを除去し、荷重換算をする。
【００２４】
巻上げ加速が終了し高速の巻上げ定速運転Ｔ４の状態になった時は、荷重換算データＫを高速の定速巻上げ運転用データに切り替えて荷重換算し、荷重表示をする。
巻下げ定速運転Ｔ７の状態では、荷重換算データＫを巻下げ時用データに切り替えて荷重換算をする。
【００２５】
クレーンの、巻上げ、巻下げの運転が終了しブレーキを閉じるＴ０の状態になった時、ブレーキを閉じるＴ０の直前の状態のデータを記憶しておき、この荷重値を保持、記憶し、表示を行う。
そして、この保持データは次にブレーキを開放し、モータに負荷トルクが掛かった時に、その状態での荷重換算を行い、荷重データの更新を行う。
【００２６】
巻下げ中のＴ６、Ｔ７、Ｔ８の状態の時、モータトルク値が小さい値に変化し、荷重ゼロに付近のトルク値になる地点を監視しておく。
そして、荷重ゼロ付近のトルク値を検出した時に、吊荷が床に着地した着床状態であることを信号出力する。
【００２７】
本発明の荷重計の荷重検出精度が要求精度を満足しない場合、電力式荷重計と併用する場合ができる。
この場合は、電力式荷重計の荷重値を正規の荷重値として取り扱い、停止時や、加速時等の電力式荷重計では測定できないところは、本発明の荷重計を使用する。
この場合、本発明の荷重計で測定した値と、電力式荷重計の荷重値と相互監視し、互いの健全確認を行うことができる。
【００２８】
また、巻上げ起動後加速前に低速度で安定させ、モータトルク値を測定し、吊上げ荷重値の換算を行った後に加速をさせることができる。
これにより、安定して吊上げ荷重値の換算を行うことができる。
【００２９】
以上、本発明のクレーンの吊上げ荷重の測定方法について、その実施例に基づいて説明したが、本発明は上記実施例に記載した構成に限定されるものではなく、その趣旨を逸脱しない範囲において適宜その構成を変更することができるものである。
【産業上の利用可能性】
【００３０】
本発明のクレーンの吊上げ荷重の測定方法は、インバータのトルクデータを荷重計のデータとして利用することにより、安価に、かつ、計測時間の短縮化を行うことにより、安全性や操作性を向上することができるという特性を有していることから、巻上げ制御にインバータ等の速度制御装置で駆動する方式の各種クレーンに、新設、既設の区別なく適用することができる。
【符号の説明】
【００３１】
Ｗ  吊上げ荷重
Ｓ  シーブ
Ｒ  ワイヤロープ
Ｄ  巻ドラム
Ｇ  減速機
Ｂ  巻上げブレーキ
Ｍ  巻上げモータ
Ｅ  速度センサ
Ｉ  速度制御装置（インバータ）
Ｋ  荷重換算データ
Ｃ  演算器（シーケンサ）
Ｔ０  ブレーキ閉
Ｔ１  ブレーキ開、サーボロック停止
Ｔ２  巻上げ定速運転（低速）
Ｔ３  巻上げ加速運転
Ｔ４  巻上げ定速運転（高速）
Ｔ５  巻上げ減速運転
Ｔ６  巻下げ加速運転
Ｔ７  巻下げ定速運転
Ｔ８  巻下げ減速運転
Ｔｘ  巻上げ／巻下げ速度
Ｔｙ  時間
Ｔａ  巻上げ
Ｔｂ  巻下げ
Ｔｃ  ブレーキ閉
Ｔｄ  ブレーキ開
０１  モータ電流
０２  速度センサ検出値
０３  モータトルク値
０４  荷重値
０５  運転信号
０６  状態信号
０７  ブレーキ開放電源
０８  供給電力
【図１】
2018034958.tif 000003
【図２】
2018034958.tif 000004